(57)【要約】【課題】  入力映像信号から映像を表示するスキャン方式を予め判断し，その映像信号データを利用して，アドレス消費電力が少なくなるように制御する。【解決手段】  映像を表示するためのスキャン方式を予め判断し，上記映像信号データの中の比較対象となるデータを選択し，上記一つのフレームの映像信号データのアドレス期間における消費電力レベルを決定し，アドレスデータを再設定するデータ利得値を含む制御信号を生成してアドレスデータ生成部４７０に伝達するアドレス自動電力制御部４３０と，上記データ利得値を含む制御信号に対応するアドレスデータとアドレス駆動制御信号を生成，伝送するアドレスデータ生成部と，上記アドレス駆動制御信号に対応して点灯させるセルのアドレス電極にアドレスデータを印加するアドレス駆動部２００と，を備えることを特徴とする，プラズマ表示装置が提供される。【選択図】    図７
2006011444.tif 000002
【特許請求の範囲】
【請求項１】
入力される一つのフレームの映像信号から，映像を表示するためのスキャン方式を予め判断し，その判断結果によって前記映像信号データの中の比較対象となるデータを選択し，前記選択されたデータを利用して前記一つのフレームの映像信号データのアドレス期間における消費電力レベルを決定し，その消費電力レベルに対応するようにアドレスデータを再設定するデータ利得値を含む制御信号を生成してアドレスデータ生成部に伝達するアドレス自動電力制御部と；
前記アドレス自動電力制御部から出力されるデータ利得値を含む制御信号に対応するアドレスデータとアドレス駆動制御信号を生成，伝送するアドレスデータ生成部と；
前記アドレスデータ生成部から伝送されるアドレス駆動制御信号に対応して点灯させるセルのアドレス電極にアドレスデータを印加するアドレス駆動部と；
を備えることを特徴とする，プラズマ表示装置。
【請求項２】
前記アドレス自動電力制御部は，
入力映像信号から映像を表示するためのスキャン方式を予め判断し，判断したスキャン方式に対応してラインを選択し，同じカラムの前記ライン毎の階調差を合算するスキャン判断および階調差合算部と；
前記スキャン判断および階調差合算部に対応するアドレスＡＰＣレベルを決定して，アドレスＡＰＣレベルに対応するデータゲイン値を出力する利得決定部と；
を備えることを特徴とする，請求項１に記載のプラズマ表示装置。
【請求項３】
前記アドレス自動電力制御部は，
一つのフレームの映像信号データの同じカラムの隣接する上下ラインの階調差を利用して，アドレス期間での消費電力レベルを決定することを特徴とする，請求項２に記載のプラズマ表示装置。
【請求項４】
前記アドレス自動電力制御部は，
一つのフレームの映像信号データの同じカラムの任意のｉ番目ラインと，前記一つのラインと隣接する一つのラインを介して位置するｉ+２番目ラインとの間の階調差を利用してアドレス期間での消費電力レベルを決定することを特徴とする，請求項２に記載のプラズマ表示装置。
【請求項５】
前記アドレス自動電力制御部は，
入力映像信号から映像を表示するためのスキャン方式を予め判断し，判断したスキャン方式に対応してラインを選択し，同じカラムの前記ライン毎のサブフィールドデータ値の差を合算するスキャン判断およびサブフィールドデータ差合算部と；
前記スキャン判断およびサブフィールドデータ差合算部に対応するアドレスＡＰＣレベルを決定して，アドレスＡＰＣレベルに対応するデータゲイン値を出力する利得決定部と；
を備えることを特徴とする，請求項１に記載のプラズマ表示装置。
【請求項６】
前記アドレス自動電力制御部は，
一つのフレームの映像信号データの同じカラムの隣接する上下ラインの階調差を利用してアドレス期間での消費電力レベルを決定することを特徴とする，請求項５に記載のプラズマ表示装置。
【請求項７】
前記アドレス自動電力制御部は，
一つのフレームの映像信号データの同じカラムの任意のｉ番目ラインと前記一つのラインと隣接する一つのラインを介して位置するｉ+２番目ラインとの間の階調差を利用してアドレス期間での消費電力レベルを決定することを特徴とする，請求項５に記載のプラズマ表示装置。
【請求項８】
入力映像信号に対応して，プラズマ表示装置に表示される各々のフレームの画像を複数のサブフィールドに分割し，前記複数のサブフィールドの輝度加重値を組み合わせて階調を表示するプラズマ表示装置の画像処理方法であって：
（ａ）入力される一つのフレームの映像信号から映像を表示するためのスキャン方式を予め判断する段階と；
（ｂ）前記段階（ａ）での判断結果に応じてデータを選択して，前記選択されたデータを利用して前記一つのフレームの映像信号データのアドレス期間での消費電力レベルを決定する段階と；
（ｃ）前記段階（ｂ）で決定された消費電力レベルに対応してアドレスデータを再設定するようにするデータ利得値を含む制御信号を生成，伝送する段階と；
（ｄ）前記段階（ｃ）の制御信号に対応してアドレスデータとアドレス駆動制御信号を生成，伝送する段階と；
（ｅ）前記段階（ｄ）のアドレス駆動制御信号に対応して点灯させようとするセルのアドレス電極にアドレスデータを印加する段階と；
を含むことを特徴とする，プラズマ表示装置の画像処理方法。
【請求項９】
前記段階（ａ）で，前記入力映像信号の映像を表示するためのスキャン方式が順次走査方式であると判断した場合，前記段階（ｂ）で，一つのフレームの映像信号データの同じカラムの隣接する上下ラインの階調差を利用してアドレス期間での消費電力レベルを決定し，
前記段階（ａ）で，前記入力映像信号の映像を表示するためのスキャン方式が飛越走査方式であると判断した場合，前記段階（ｂ）で一つのフレームの映像信号データの同じカラムの任意のｉ番目ラインと前記一つのラインと隣接するもう一つのラインを介して位置するｉ+２番目ラインとの間の階調差を利用してアドレス期間での消費電力レベルを決定することを特徴とする，請求項８に記載のプラズマ表示装置の画像処理方法。
【請求項１０】
前記段階（ａ）で，前記入力映像信号の映像を表示するためのスキャン方式が順次走査方式であると判断した場合，前記段階（ｂ）で，一つのフレームの映像信号データの同じカラムの隣接する上下ラインのサブフィールドデータの値の差を利用してアドレス期間での消費電力レベルを決定し，
前記段階（ａ）で，前記入力映像信号の映像を表示するためのスキャン方式が飛越走査方式であると判断した場合，前記段階（ｂ）で，一つのフレームの映像信号データの同じカラムの任意のｉ番目ラインと前記一つのラインと隣接するもう一つのラインを介して位置するｉ+２番目ラインとの間のサブフィールドデータの値の差を利用してアドレス期間での消費電力レベルを決定することを特徴とする，請求項８に記載のプラズマ表示装置の画像処理方法。
【発明の詳細な説明】
【技術分野】
【０００１】
本発明は，プラズマ表示装置とその画像処理方法に関するものである。
【背景技術】
【０００２】
プラズマ表示装置は，気体放電によって生成されたプラズマを用いて，文字または映像を表示する平面表示装置である。その主要部のプラズマパネルには，表示部の大きさに応じて数十〜数百万個以上の画素（セル）がマトリックス状に配列されている。
【０００３】
このようなプラズマ表示装置の駆動方法として，ＡＤＳ（Address Display Separate）駆動方法というのがある。
【０００４】
上記ＡＤＳ駆動方法は，時間的な動作変化で表現すると，リセット期間，アドレス期間，維持期間を含んでなる。
【０００５】
リセット期間は，セルに対するアドレシング動作が円滑に行われるように，各セルの状態を初期化する期間であり，アドレス期間は，プラズマパネル上で点灯させるセルと点灯させないセルを区別するために，点灯させるセル（アドレスされたセル）にアドレス電圧を印加して，壁電荷を蓄積する動作を行う期間である。維持期間は，セルに維持パルスを印加し，アドレスされたセルに映像を表示するための放電を行う期間である。
【０００６】
これらの動作を実行する際に，走査電極と維持電極との間，また，アドレス電極が形成される側と走査電極および維持電極が形成される側の間の放電空間等は，容量性負荷（以下，“パネルキャパシタ”ともいう）として作動する。このため，プラズマパネルにはキャパシタが存在するとみなすことができる。従って，アドレス電極にアドレシング動作のための波形を印加するには，アドレス放電のための電力以外に，キャパシタに所定の電圧を発生させる電荷注入用の無効電力が大量に必要である。このアドレシング動作で，アドレス電極でのスイッチング回数が多くなる場合には，さらに大量のアドレス電力が必要になる。
【０００７】
前述したように，アドレス電力はアドレス電極でのスイッチング回数によって，さらに大量に必要になる場合がある。かかる場合について，図面を参照して詳しく説明する。
【０００８】
図１は，画像データがすべてホワイトである時のデータを示す図である。
【０００９】
図１を参照すると，画像データがすべてホワイトの時は，全てのデータが１なので，アドレス電極が通るセルにおけるデータの変動がない。アドレス電力は，アドレス電極でのスイッチング回数に比例して増加するので，画像データがすべてホワイトの場合，充電/放電の時の無効電力が少なくなる。この時の駆動波形を図２に示す。つまり，図１のように，画像データがすべてホワイトの時は，図１に太い実線で表示された一つのカラムに対して１度のスイッチングだけで充分である。
【００１０】
ところが，ドットパターン画像データの場合は，以下の説明のようにアドレス電極でのスイッチング回数が増加する。
【００１１】
図３は，ドットパターンの画像データを示す図である。
【００１２】
図３を参照すると，データが１から０，０から１に継続して変化するので，スイッチングがたくさん起こる。この時の駆動波形を図４に示す。
【００１３】
図４のように，ドットパターンでは，アドレス電極が通るセルでのデータ変動が多いので，アドレス電極でのスイッチング回数が多くなり消費電力が増加する。また，ドットパターンの画像データだけでなく，ライン毎に画像パターンが変動する画像データの場合も，ライン毎にデータが変動することとなるので，アドレス電極でのスイッチング回数が多くなり消費電力が増加する。
【００１４】
前述したように，画像データにおいて，アドレス電極が通るセルでのデータの変動が多くなると，アドレス電極でのスイッチング回数が増えてしまい，消費電力が増加するといった問題が生じる。
【００１５】
【特許文献１】韓国特許公開２００２-００１４７６６号明細書
【発明の開示】
【発明が解決しようとする課題】
【００１６】
本発明は，従来のプラズマ表示装置が有する上記問題点に鑑みてなされたものであり，本発明の目的は，入力映像信号から映像を表示するスキャン方式を予め判断し，その映像信号データを利用して，アドレス消費電力が少なくなるように制御することが可能な，新規かつ改良されたプラズマ表示装置とその画像処理方法を提供することである。
【課題を解決するための手段】
【００１７】
上記課題を解決するために，本発明のある観点によれば，入力される一つのフレームの映像信号から，映像を表示するためのスキャン方式を予め判断し，その判断結果によって上記映像信号データの中の比較対象となるデータを選択し，上記選択されたデータを利用して上記一つのフレームの映像信号データのアドレス期間における消費電力レベルを決定し，その消費電力レベルに対応するようにアドレスデータを再設定するデータ利得値を含む制御信号を生成してアドレスデータ生成部に伝達するアドレス自動電力制御部と；上記アドレス自動電力制御部から出力されるデータ利得値を含む制御信号に対応するアドレスデータとアドレス駆動制御信号を生成，伝送するアドレスデータ生成部と；上記アドレスデータ生成部から伝送されるアドレス駆動制御信号に対応して点灯させるセルのアドレス電極にアドレスデータを印加するアドレス駆動部と；を備えることを特徴とする，プラズマ表示装置が提供される。
【００１８】
上記アドレス自動電力制御部は，入力映像信号から映像を表示するためのスキャン方式を予め判断し，判断したスキャン方式に対応してラインを選択し，同じカラムの上記ライン毎の階調差を合算するスキャン判断および階調差合算部と；上記スキャン判断および階調差合算部に対応するアドレスＡＰＣレベルを決定して，アドレスＡＰＣレベルに対応するデータゲイン値を出力する利得決定部と；を備えるとしても良い。
【００１９】
上記アドレス自動電力制御部は，一つのフレームの映像信号データの同じカラムの隣接する上下ラインの階調差を利用して，アドレス期間での消費電力レベルを決定するとしても良い。
【００２０】
上記アドレス自動電力制御部は，一つのフレームの映像信号データの同じカラムの任意のｉ番目ラインと，上記一つのラインと隣接する一つのラインを介して位置するｉ+２番目ラインとの間の階調差を利用してアドレス期間での消費電力レベルを決定するとしても良い。
【００２１】
上記アドレス自動電力制御部は，入力映像信号から映像を表示するためのスキャン方式を予め判断し，判断したスキャン方式に対応してラインを選択し，同じカラムの上記ライン毎のサブフィールドデータ値の差を合算するスキャン判断およびサブフィールドデータ差合算部と；上記スキャン判断およびサブフィールドデータ差合算部に対応するアドレスＡＰＣレベルを決定して，アドレスＡＰＣレベルに対応するデータゲイン値を出力する利得決定部と；を備えるとしても良い。
【００２２】
上記アドレス自動電力制御部は，一つのフレームの映像信号データの同じカラムの隣接する上下ラインの階調差を利用してアドレス期間での消費電力レベルを決定するとしても良い。
【００２３】
上記アドレス自動電力制御部は，一つのフレームの映像信号データの同じカラムの任意のｉ番目ラインと上記一つのラインと隣接する一つのラインを介して位置するｉ+２番目ラインとの間の階調差を利用してアドレス期間での消費電力レベルを決定するとしても良い。
【００２４】
上記課題を解決するために，本発明の別の観点によれば，入力映像信号に対応して，プラズマ表示装置に表示される各々のフレームの画像を複数のサブフィールドに分割し，上記複数のサブフィールドの輝度加重値を組み合わせて階調を表示するプラズマ表示装置の画像処理方法であって：（ａ）入力される一つのフレームの映像信号から映像を表示するためのスキャン方式を予め判断する段階と；（ｂ）上記段階（ａ）での判断結果に応じてデータを選択して，上記選択されたデータを利用して上記一つのフレームの映像信号データのアドレス期間での消費電力レベルを決定する段階と；（ｃ）上記段階（ｂ）で決定された消費電力レベルに対応してアドレスデータを再設定するようにするデータ利得値を含む制御信号を生成，伝送する段階と；（ｄ）上記段階（ｃ）の制御信号に対応してアドレスデータとアドレス駆動制御信号を生成，伝送する段階と；（ｅ）上記段階（ｄ）のアドレス駆動制御信号に対応して点灯させようとするセルのアドレス電極にアドレスデータを印加する段階と；を含むことを特徴とする，プラズマ表示装置の画像処理方法が提供される。
【００２５】
上記段階（ａ）で，上記入力映像信号の映像を表示するためのスキャン方式が順次走査方式であると判断した場合，上記段階（ｂ）で，一つのフレームの映像信号データの同じカラムの隣接する上下ラインの階調差を利用してアドレス期間での消費電力レベルを決定し，上記段階（ａ）で，上記入力映像信号の映像を表示するためのスキャン方式が飛越走査方式であると判断した場合，上記段階（ｂ）で一つのフレームの映像信号データの同じカラムの任意のｉ番目ラインと上記一つのラインと隣接するもう一つのラインを介して位置するｉ+２番目ラインとの間の階調差を利用してアドレス期間での消費電力レベルを決定するとしても良い。
【００２６】
上記段階（ａ）で，上記入力映像信号の映像を表示するためのスキャン方式が順次走査方式であると判断した場合，上記段階（ｂ）で，一つのフレームの映像信号データの同じカラムの隣接する上下ラインのサブフィールドデータの値の差を利用してアドレス期間での消費電力レベルを決定し，上記段階（ａ）で，上記入力映像信号の映像を表示するためのスキャン方式が飛越走査方式であると判断した場合，上記段階（ｂ）で，一つのフレームの映像信号データの同じカラムの任意のｉ番目ラインと上記一つのラインと隣接するもう一つのラインを介して位置するｉ+２番目ラインとの間のサブフィールドデータの値の差を利用してアドレス期間での消費電力レベルを決定するとしても良い。
【発明の効果】
【００２７】
以上説明したように本発明によれば，入力映像信号から映像を表示するためのスキャン方式を予め判断し，上記映像信号データから当該データのライン毎の階調差，またはライン毎のサブフィールドデータ値の差を利用して，アドレス消費電力を予測することができる。さらに，映像信号データを変更することによって，アドレス消費電力が少なくなるように制御することができる。
【発明を実施するための最良の形態】
【００２８】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２９】
以下，本発明の実施形態によるプラズマ表示装置とその画像処理方法について図面を参照して詳細に説明する。
【００３０】
図５は，本発明の実施形態によるプラズマ表示装置の電極配列図を示す。
【００３１】
図５に示すように，プラズマ表示装置の電極は，ｍ×ｎのマトリックス状に配列される。つまり，列方向にはｍ列のアドレス電極（Ａ１-Ａｍ）が，行方向にはｎ行の走査電極（Ｙ１-Ｙｎ）および維持電極（Ｘ１-Ｘｎ）が交互に配列されている。列方向に伸びているアドレス電極と，行方向に互いに対を成しながら伸びている走査電極および維持電極との交差部にある放電空間が放電セル１２を形成する。
【００３２】
図６は，本発明の実施形態によるプラズマ表示装置の概略図である。
【００３３】
図６に示すように，本発明の実施形態によるプラズマ表示装置は，プラズマパネル１００，アドレス駆動部２００，維持駆動部３００，走査駆動部５００および制御部４００を備える。
【００３４】
プラズマパネル１００は，列方向に伸びている複数のアドレス電極（Ａ１-Ａｍ）と，行方向に互いに対を成しながら伸びている複数の走査電極（Ｙ１-Ｙｎ）および維持電極（Ｘ１-Ｘｎ）を備える。
【００３５】
アドレス駆動部２００は，制御部４００からアドレス駆動制御信号を受信し，点灯させる放電セルを選択するためのアドレス電圧を，各アドレス電極（Ａ１-Ａｍ）に印加する。維持駆動部３００および走査駆動部５００は，それぞれ制御部４００から出力された制御信号を受信し，走査電極（Ｙ１-Ｙｎ）と維持電極（Ｘ１-Ｘｎ）に維持放電電圧を印加して，点灯させようとする放電セルに維持放電を行う。
【００３６】
制御部４００は，外部からＲ，Ｇ，Ｂ映像信号と同期信号を受信し，一つのフレーム期間をいくつかのサブフィールド期間に分割して，さらに各サブフィールド期間をリセット期間，アドレス期間および維持期間に分割してプラズマ表示装置を駆動する駆動信号を生成，出力する。即ち，制御部４００は，一つのフレーム期間を構成するサブフィールドの各維持期間での維持放電パルスの個数を調節して，必要な制御信号を生成し，アドレス駆動部２００，維持駆動部３００および走査駆動部５００に供給する。
【００３７】
以下，図７〜図９を参照して，本発明の実施形態による制御部４００について詳細に説明する。
【００３８】
図７は，本発明の実施形態によるアドレス消費電力を減少させ得るプラズマ表示装置の制御部の概略図である。
【００３９】
図７に示すように，本発明の実施形態によるプラズマ表示装置の制御部４００は，逆ガンマ補正部４１０，誤差拡散部４２０，ＡＰＣ部４３０（以下，“自動電力制御部”とも言う），維持パルス個数発生部４４０，維持・走査駆動制御部４５０，アドレスＡＰＣ部４６０およびアドレスデータ生成部４７０を含んで構成される。
【００４０】
逆ガンマ補正部４１０は，現在入力される映像信号データであるｎビットのＲ，Ｇ，Ｂ映像信号データを逆ガンマ曲線にマッピングさせ，ｍビット（ｍ≧ｎ）の映像信号データに補正する。一般に，ｎは８であり，ｍは１０または１２の値をとる。
【００４１】
この時，逆ガンマ補正部４１０に入力される映像信号はデジタル信号である。従って，プラズマ表示装置にアナログ映像信号が入力される場合には，アナログ／デジタル変換器（図示せず）を用いてアナログ映像信号をデジタル映像信号に変換する必要がある。そして，逆ガンマ補正部４１０は，映像信号をマッピングするための逆ガンマ曲線データを参照可能なテーブル（図示せず），または，逆ガンマ曲線データを論理演算で生成するための論理回路（図示せず）を備えることもできる。
【００４２】
誤差拡散部４２０は，逆ガンマ補正部４１０によって逆ガンマ補正，拡張されたｍビットの映像信号データの下位（ｍ-ｎ）ビットの映像信号データを隣接画素に誤差拡散する。誤差拡散は，映像信号データから誤差拡散しようとする映像信号データの下位ビットを分離し，隣接画素に拡散して映像を表示する方法で，これに対する詳細な説明は上述した特許文献１に記載されている。
【００４３】
ＡＰＣ部４３０は，誤差拡散部４２０から出力された映像信号データを用いて負荷率を検出し，検出した負荷率を用いてＡＰＣレベルを計算し，計算したＡＰＣレベルに対応する維持パルス個数などを算出，出力する。
【００４４】
維持パルス個数発生部４４０は，上記ＡＰＣ部３３０から出力された維持パルス個数情報を用いて各サブフィールドでの維持パルス個数を割り当て，出力する。
【００４５】
維持・走査駆動制御部４５０は，維持パルス個数発生部４４０から出力された維持パルス個数に応じて制御信号を生成し，維持駆動部３００および走査駆動部５００に出力する。ここでは，維持パルス個数発生部４４０と維持・走査駆動制御部４５０を別々に説明したが，この二つの要素を一つの要素として構成することもできる。
【００４６】
アドレスＡＰＣ部（以下，“アドレス自動電力制御部”ともいう）４６０は，逆ガンマ補正部４１０より出力された映像信号データから一つのフレームデータを選択し，そのデータがアドレス期間で消費電力の多いデータかどうかを判断する。ここで，アドレス期間で消費電力が高いと判断された場合（例えば，図３のようなドットパターンの場合）には，消費電力を抑えるために，映像信号データのアドレスデータを再設定するデータゲイン値を，アドレスデータ生成部４７０に出力する。
【００４７】
一方，プラズマ表示装置では，一つのフレーム期間での映像を表現するためのスキャン方式によって，アドレス消費電力が最大になる画像データのパターンはそれぞれ異なる。このような映像を表現するためのスキャン方式は，予め決定することができる。
【００４８】
従って，本発明の実施形態による制御部４００のアドレスＡＰＣ部４６０は，まず，入力される一つのフレームの映像信号から映像を表現するためのスキャン方式を判断し，その判断結果によって映像信号データの中で比較するためのデータを選択し，一つのフレームデータがアドレス期間で消費電力の多いデータかどうかを判断する。そして，アドレス期間において消費電力が多いデータであると判断した場合，アドレス消費電力を制御するためにアドレスデータを再設定する。
【００４９】
ここで，一つのフレームデータが，アドレス期間において消費電力が多いデータかどうかは，階調差（同じ列のセルの中で一つのセルを基準にして，その基準セルの上のセルの階調とその基準セルとの階調の差，または，同じ列のセルの中で一つのセルを基準にして，その基準セルの二つ上のセルの階調とその基準セルとの階調の差を言う。）を利用して判断したり，一つのフレームデータから各サブフィールドデータを取り出し，そのサブフィールドデータのオン／オフの要否（同じ列のセルのなかで一つのセルを基準にして，その基準セルの上のセルのサブフィールドデータとその基準セルのサブフィールドデータとの違い，または同じ列のセルの中で一つのセルを基準にして，その基準セルの二つ上のセルのサブフィールドデータとその基準セルのサブフィールドデータとの違い）を利用して判断したりできる。以下，このような判断について詳細に説明する。
【００５０】
図８は，本発明の第１実施形態によるアドレスＡＰＣ部４６０の内部構成を示すブロック図である。
【００５１】
図８に示すように，本発明の第１実施形態によるアドレスＡＰＣ部４６０は，第１ラインメモリ部４６１，第２ラインメモリ部４６２，スキャン判断および階調差合算部４６３，利得保存部４６４および利得決定部４６５を備える。
【００５２】
一方，本発明の実施形態によるプラズマ表示装置のスキャン方式は，順次走査（progressive scan）方式と飛越走査（interlace scan）方式がある。順次走査方式は一つの画面を走査する時に，画面左側上端から右側下端まで順次に走査する方式であり，飛越走査方式は一つの画面を走査する時，画面の奇数行（偶数行）を走査した後に，偶数行（奇数行）を走査する方式である。
【００５３】
そして，上記スキャン方式によって，アドレス期間における消費電力が多いデータのパターンはそれぞれ異なる。従って，一つのフレームの映像信号が入力される場合，上記スキャン方式によって，上記階調差やサブフィールドデータのオン／オフの要否等を比較するために，選択するデータが異なる。
【００５４】
以下，本発明の第１実施形態によるアドレスＡＰＣ部４６０の動作を詳細に説明する。
【００５５】
本発明の第１実施形態によるアドレスＡＰＣ部４６０のスキャン判断および階調差合算部４６３は，まず，入力される映像信号から，映像を表示するためのスキャン方式がどんなスキャン方式なのかを判断する。そして，その判断結果によって入力される映像信号データの中で，比較対象となるデータを選択する。
【００５６】
例えば，入力される映像信号の映像を表示するためのスキャン方式が順次走査方式であるとスキャン判断および階調差合算部４６３が判断した場合（このような場合には図３のような画面データがアドレス期間で消費電力が最大になる）は，現在入力されるラインのデータ値Ｄ１と上記第１ラインメモリ部４６１に保存されている１ライン遅延されたラインのデータ値Ｄ２を選択する。即ち，本発明の第１実施形態によると，現在入力されるラインの階調値Ｄ１と，第１ラインメモリ部４６１に保存されている１ライン遅延されたラインの階調値Ｄ２とを比較して階調差を計算してこれを合算する。これは，数式１を用いて一つのフレームでの各ラインの階調差を合算することにより実行される。
【００５７】
【数１】
2006011444.tif 000003
ここで，Ｐはピクセルの階調値であり，ｉはラインであり，ｊはカラムであり，ＳはＮ個のライン，Ｍ個のカラムの画像データの各ラインの間のピクセルの階調差の合計である。
【００５８】
このような数式はいろいろな応用が可能で，例えば，ライン全体，または，画面データ全体の計算を一回で済ますこともできる。
【００５９】
スキャン判断および階調差合算部４６３は，数式１を用いて各ラインの間の階調差を合算し，利得決定部４６５に出力する。
【００６０】
利得決定部４６５は，階調差の合計Ｓに応じて自動電力制御（以下，“ＡＰＣ”ともいう）レベルを決定し，利得値保存部４６４のテーブルを参照してＡＰＣレベルに相当するエンドゲインを決定，出力する。この時，ＡＰＣレベルによるエンドゲインは図９に示される。しかし，これは一つの例であって，かかる図に限定されない。従って，いろいろな応用が可能である。
【００６１】
ここで利得値は，階調差の合計（Ｓｕｍ）に反比例する値であり，０から１の間の値をとる。階調差の合計（Ｓｕｍ）が大きいということは，ピクセルの間のデータの差（階調差）が大きいということであり，これは消費電力の増加につながる。従って，元の映像信号データにそれぞれの利得値を掛けることで，ピクセルの間のデータの差を減らす。
【００６２】
階調差の合計（Ｓｕｍ）が０だと利得値は１であり，階調差の合計（Ｓｕｍ）が大きくなると利得値は小さくなる。このような利得値は，実験を重ねてテーブルで保存して使用することもできる。また，このような利得値は，必要に応じて元の映像を変えない範囲で変化させることが可能であり，１以上にすることもできる。
【００６３】
また，入力される映像信号の映像を表示するためのスキャン方式が飛越走査方式であるとき，スキャン判断および階調差合算部４６３がそのように判断した場合（このような場合には図１０のような画面データがアドレス期間で消費電力が最大になる）は，現在入力されるラインのデータ値Ｄ１と上記第２ラインメモリ部４６２に保存されている２ライン遅延されたラインのデータ値Ｄ３を選択する。即ち，本発明の第１実施形態によると，現在入力されるラインの階調値Ｄ１と第２ラインメモリ部４６２に保存されている２ライン遅延されたラインの階調値Ｄ３を比較して階調差を計算してこれを合算する。ここでは，数式２を用いて一つのフレームでの現在入力されるラインと２ライン遅延されたラインの階調差を合算する。
【００６４】
【数２】
2006011444.tif 000004
数式２で，Ｐはピクセルの階調値であり，ｉはラインであり，ｊはカラムであり，ＳはＮ個のライン，Ｍ個のカラムの画像データの現在入力されるライン（図１０のライン３）と２ライン遅延されたライン（図１０のライン１）のピクセルの階調差の合計である。このような数式はいろいろな応用が可能であり，ライン全体，または，画面データ全体の計算を一回の計算で済ますこともできる。
【００６５】
スキャン判断および階調差合算部４６３は，数式２を用い，現在入力されるラインと２ライン遅延されたラインの階調差の合算し，利得決定部４６５に出力する。
【００６６】
一方，一般にライン毎の階調差が大きい場合は，本発明の第１実施形態のように，アドレスＡＰＣ部４６０は，ライン毎の階調差を計算し，アドレス期間で消費電力の多いデータかどうかを判断する。しかし，アドレスでの消費電力は，アドレスデータ，即ち，サブフィールドデータと直接的に関係があるので，階調差を利用してアドレス期間における消費電力を判断するということは，正確な判断とは言えない場合もある。次に，サブフィールドデータを利用してアドレス期間での消費電力を判断する方法について説明する。
【００６７】
図１１は，本発明の第２実施形態によるアドレスＡＰＣ部４６０の内部構成を示すブロック図である。
【００６８】
本発明の第２実施形態によるアドレスＡＰＣ部４６０は，第１ラインメモリ部４６１，第２ラインメモリ部４６２，スキャン判断およびサブフィールドデータ差合算部４６６，利得保存部４６４および利得決定部４６５を含んで構成される。ここで，本発明の第２実施形態によるアドレスＡＰＣ部４６０は，第１実施形態のスキャン判断および階調差合算部４６３の代りにスキャン判断およびサブフィールドデータ差合算部４６６を備えることを除いて，本発明の第１実施形態と実質的に等しいので，以下，重複説明は省略する。
【００６９】
スキャン判断およびサブフィールドデータ差合算部４６６は，入力される映像信号をサブフィールド毎のオン／オフデータに変換した信号，つまり，サブフィールドデータを利用して，列方向に隣接するライン間のサブフィールドデータの差を合算する。この時，スキャン判断およびサブフィールドデータ差合算部４６６の前には，データ処理部（図示せず）を位置させることも可能である。ここでデータ処理部は，入力される映像信号をサブフィールド毎のオン／オフデータに変換する。
【００７０】
プラズマ表示パネルで２５６階調を表現するため，一つのフレーム期間を維持期間の長さの加重値が各々１，２，４，８，１６，３２，６４，１２８である八つのサブフィールド１ＳＦ〜８ＳＦに分割して駆動する時，データ処理部４１０は，例えば，階調１００の映像信号を“００１００１１０”の８ビットデータに変換する。“００１００１１０”の‘０’と‘１’の数字は，順に八つのサブフィールド１ＳＦ〜８ＳＦに対応する。つまり，‘０’は当該サブフィールドで放電セルが放電しないこと（オフ）を示し，‘１’は当該サブフィールドで放電セルが放電すること（オン）を示す。
【００７１】
また，本発明の第１実施形態と同様に，スキャン判断およびサブフィールドデータ差合算部４６６において，入力される映像信号データの中で比較対象となるデータの選択は，入力映像信号の映像を表現するためのスキャン方式によって切り換えられる。
【００７２】
ここで，一つのフレームデータが，アドレス期間において消費電力が多いデータかどうかは，階調差（同じ列のセルの中で一つのセルを基準にして，その基準セルの上のセルの階調とその基準セルとの階調の差，または，同じ列のセルの中で一つのセルを基準にして，その基準セルの二つ上のセルの階調とその基準セルの階調との差を言う。）を利用して判断したり，一つのフレームデータから各サブフィールドデータを取り出し，そのサブフィールドデータのオン／オフの要否（同じ列のセルのなかで一つのセルを基準にして，その基準セルの上のセルのサブフィールドデータとその基準セルのサブフィールドデータとの違い，または同じ列のセルの中で一つのセルを基準にして，その基準セルの二つ上のセルのサブフィールドデータとその基準セルのサブフィールドデータの違い）を利用して判断したりすることができる。以下，このような判断について詳細に説明する。
【００７３】
まず，入力映像信号のスキャン方式が順次走査方式である場合，スキャン判断およびサブフィールドデータ差合算部４６６は，データ処理部４１０においてサブフィールド毎にオン／オフデータに変換された映像信号を用いて，列方向に隣接するライン間のサブフィールドデータの差を合算し，合算した一つのフレームのすべてのサブフィールドデータの差をさらに合算する。アドレス期間で消費電力が多くなるスイッチングの変化は，列方向に隣接した二つの放電セルで，一つの放電セルはオンであり，もう一つの放電セルはオフである場合なので，スキャン判断およびサブフィールドデータ差合算部４６６は，数式３に示すように，列方向に隣接した二つの放電セルのオン／オフデータの差を合算する。
【００７４】
【数３】
2006011444.tif 000005
ここで，Ｒij，Ｇij，Ｂijはそれぞれｉ行およびｊ列のＲ（red），Ｇ（green），Ｂ（blue）放電セルのオン／オフデータである。なお，ＡＰは，各サブフィールドのサブフィールドデータ差の合計である。つまり，スキャン判断およびサブフィールドデータ差合算部４６６は，数式３を利用して各サブフィールドデータから，一つのフレームの各サブフィールドデータを全て合算する。このように数式３を利用して，各サブフィールドに対するサブフィールドデータ差の合計を計算することで，アドレス期間での消費電力を判断することができる。また，数式３を利用して全てのサブフィールドに対して同様な計算を繰り返し，全て合せることで，アドレス期間での消費電力を判断することもできる。
【００７５】
また，入力映像信号のスキャン方式が飛越走査方式である場合，スキャン判断およびサブフィールドデータ差合算部４６６は，データ処理部４１０においてサブフィールド毎にオン／オフデータに変換された映像信号を用いて，現在入力されるラインと２ライン遅延されたラインのサブフィールドデータの差を合算し，合算した一つのフレームのすべてのサブフィールドデータをさらに合算する。アドレス期間で消費電力が多くなるスイッチングの変化は，列方向での一つの放電セルとその放電セルの２ライン遅延されたラインの放電セルで，一つの放電セルはオンであり，もう一つの放電セルはオフである場合であるから，スキャン判断およびサブフィールドデータ差合算部４６６は，数式４に示すように，列方向での一つの放電セルとその放電セルの２ライン遅延されたラインの放電セルのオン／オフデータの差を合算する。
【００７６】
【数４】
2006011444.tif 000006
ここで，Ｒij，Ｇij，Ｂijはそれぞれｉ行およびｊ列のＲ（red），Ｇ（green），Ｂ（blue）放電セルのオン／オフデータである。なお，ＡＰは，各サブフィールドのサブフィールドデータ差の合計である。つまり，スキャン判断およびサブフィールドデータ差合算部４６６は，数式４を利用して各サブフィールドデータから，一つのフレームの各サブフィールドデータを全て合算する。このように数式４を利用して各サブフィールドに対するサブフィールドデータ差の合計を計算することで，アドレス期間での消費電力を判断することができる。また，数式４を利用して全てのサブフィールドに対して同様な計算を繰り返し，全て合せることで，アドレス期間での消費電力を判断することもできる。
【００７７】
一般に，映像信号は，行順に入力されるので，隣接した二つの放電セルのオン／オフデータの差，または任意の放電セルを間に挟んで隣接する二つの放電セルのオン／オフデータの差を計算するために，一行の映像信号データを保存するための図１１のような第１ラインメモリ部４６１および第２ラインメモリ部４６２が必要である。第１ラインメモリ部４６１および第２ラインメモリ部４６２は，一行の映像信号データのサブフィールド毎のオン／オフデータが入力されると，これを順次に保存し，スキャン判断およびサブフィールドデータ差合算部４６６は，入力映像信号の映像を表現するためのスキャン方式に応じて，第１ラインメモリ部４６１に保存された１ライン遅延されたラインのデータを読み取り，隣接した二つの放電セルのサブフィールド毎のオン／オフデータの差を計算したり，または第２ラインメモリ部４６２に保存された２ライン遅延されたラインのデータを読み取って，任意の放電セルを挟んで隣接する二つの放電セルのオン／オフデータの差を計算したりする。
【００７８】
また，スキャン判断およびサブフィールドデータ差合算部４６６は，スキャン方式に応じてそれぞれ選択された二つの放電セルでのサブフィールド毎のオン／オフデータの差をオン／オフデータのＸＯＲ（exclusive OR）演算で計算することもできる。
【００７９】
そうすると，利得決定部４６５は，入力映像信号のスキャン方式と，上記スキャン判断およびサブフィールドデータ差合算部４６６の計算結果によって，つまり，順次走査方式の時は，一つのフレームのすべてのサブフィールド（または各サブフィールド）の各ライン間のオン／オフデータの差の合計に対応して，自動電力制御（ＡＰＣ）レベルを決定し，ＡＰＣレベルに相当するエンドゲインを本発明の第１実施形態のように利得値保存部４６４のテーブル（ルックアップテーブル）を参照して決定，出力する。
【００８０】
なお，飛越走査方式の時は，一つのフレームのすべてのサブフィールド（または各サブフィールド）の現在入力されるラインと２ライン遅延されたラインのオン／オフデータの差の合計に対応して自動電力制御（ＡＰＣ）レベルを決定し，ＡＰＣレベルに相当するエンドゲインを本発明の第１実施形態のように利得値保存部４６４のテーブル（ルックアップテーブル）を参照して決定，出力する。
【００８１】
アドレスデータ生成部４７０は，上記アドレスＡＰＣ部４６０から出力されるデータ利得値を映像信号データに掛算をして補正データを出力し，補正データに対応するサブフィールドデータを生成して，そのサブフィールドデータを，プラズマ表示装置を駆動するためのアドレスデータに再配列して，アドレス駆動部２００を制御するアドレス制御信号を生成してアドレス駆動部２００に出力する。
【００８２】
この時，アドレスＡＰＣ部４６０は，入力映像信号をサブフィールドデータに変換するデータ処理部（図示せず）を含むこともできると説明したが，アドレスデータ生成部４７０で生成されるサブフィールドデータを利用して数式３または数式４のようにサブフィールドデータ差を合算することもできる。
【００８３】
上記では，図８および図１１で示す本発明の第１および第２実施形態によるアドレスＡＰＣ部４６０は，アドレスデータ生成部４７０と別のブロックとして表したが，この二つは同じブロックとして実現することができる。
【００８４】
また，本発明による第１実施形態と第２実施形態では，アドレスＡＰＣ部４６０は，逆ガンマ補正部４１０の出力データを利用して消費電力を判断すると説明したが，誤差拡散部４２０の出力信号を利用して消費電力を判断することもできる。
【００８５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００８６】
本発明は，プラズマ表示装置とその画像処理方法に適用可能である。
【図面の簡単な説明】
【００８７】
【図１】画像データがすべてホワイトである時のデータを示す図である。
【図２】図１データによるスイッチング波形図である。
【図３】ドットパターン画像データを示す図である。
【図４】図３のデータによるスイッチング波形図である。
【図５】プラズマ表示装置の電極配列図である。
【図６】本発明の実施形態によるプラズマ表示装置の概略図である。
【図７】本発明の実施形態によるアドレス消費電力を減少させるプラズマ表示装置の制御部の概略図である。
【図８】本発明の第１実施形態によるアドレスＡＰＣ部の内部構成を示すブロック図である。
【図９】図８のアドレスＡＰＣレベルによるゲイン値を示す図である。
【図１０】飛越走査方式で消費電力が最大になる画像データを示す図である。
【図１１】本発明の第２実施形態によるアドレスＡＰＣ部の内部構成を示すブロック図である。
【符号の説明】
【００８８】
１２    放電セル
１００  プラズマパネル
２００  アドレス駆動部
３００  維持駆動部
４００  制御部
４１０  逆ガンマ補正部
４２０  誤差拡散部
４３０  ＡＰＣ部
４４０  維持パルス個数発生部
４５０  維持・走査駆動制御部
４６０  アドレスＡＰＣ部
４６１  第１ラインメモリ部
４６２  第２ラインメモリ部
４６３  スキャン判断および階調差合算部
４６４  利得値保存部
４６５  利得値決定部
４６６  スキャン判断およびサブフィールドデータ差合算部
４７０  アドレスデータ生成部
５００  走査駆動部
【図１】
2006011444.tif 000007
【図２】
2006011444.tif 000008
【図３】
2006011444.tif 000009
【図４】
2006011444.tif 000010
【図５】
2006011444.tif 000011
【図６】
2006011444.tif 000012
【図７】
2006011444.tif 000013
【図８】
2006011444.tif 000014
【図９】
2006011444.tif 000015
【図１０】
2006011444.tif 000016
【図１１】
2006011444.tif 000017